(57)【特許請求の範囲】
【請求項１】
無線アクセス能力情報を通信するよう動作するユーザ機器（ＵＥ）の装置であって、前記装置は１又は複数のプロセッサを有し、前記１又は複数のプロセッサは、
Ｅ−ＵＴＲＡＮ（evolved  universal  terrestrial  radio  access  network）の中のネットワークノードから受信した第１メッセージを復号化し、前記第１メッセージは前記Ｅ−ＵＴＲＡＮにおいてサポートされる周波数帯域のリストを有し、
前記Ｅ−ＵＴＲＡＮにおいてサポートされる周波数帯域の前記リストに基づき、前記ＵＥでサポートされる周波数帯域及び周波数帯域の組合せのセットを生成し、
前記ＵＥ及び前記記Ｅ−ＵＴＲＡＮにおいてサポートされる前記周波数帯域の組合せ及び周波数帯域の前記セットを含む第２メッセージを、前記ネットワークノードへ送信するために符号化する、
よう構成される、装置。
【請求項２】
前記第２メッセージに含まれる前記周波数帯域の組合せは、キャリアアグリゲーション（ＣＡ）帯域の組合せである、請求項１に記載の装置。
【請求項３】
前記第２メッセージに含まれる前記周波数帯域の組合せは、非キャリアアグリゲーション（ＣＡ）帯域の組合せである、請求項１に記載の装置。
【請求項４】
前記ＵＥにおいてサポートされる前記周波数帯域の組合せ及び周波数帯域の前記セットは、前記Ｅ−ＵＴＲＡＮにおいてサポートされる周波数帯域の前記リストに制限される、請求項１に記載の装置。
【請求項５】
前記Ｅ−ＵＴＲＡＮにおいてサポートされる周波数帯域の前記リストを含む、前記ネットワークノードから受信される前記第１メッセージは、ＵＥ能力問い合わせメッセージであり、
前記ＵＥ及び前記Ｅ−ＵＴＲＡＮにおいてサポートされる周波数帯域の組合せ及び周波数帯域の前記セットを含む、前記ネットワークノードへ送信される前記第２メッセージは、ＵＥ能力情報メッセージである、
請求項１に記載の装置。
【請求項６】
前記第１メッセージは、無線リソース制御（ＲＣＣ）シグナリングにより前記ネットワークノードから受信される、請求項１に記載の装置。
【請求項７】
前記第１メッセージの中の周波数帯域の前記リストは、前記Ｅ−ＵＴＲＡＮにおいてサポートされる最大で１６個の周波数帯域を含む、請求項１に記載の装置。
【請求項８】
前記第１メッセージは、前記ＵＥが接続モードであるとき、前記ネットワークノードから受信される、請求項１に記載の装置。
【請求項９】
ユーザ機器（ＵＥ）に関連する無線アクセス能力情報を決定するよう動作するセルラモバイルネットワークの中のネットワークノードの装置であって、前記装置は１又は複数のプロセッサを有し、前記１又は複数のプロセッサは、
前記ネットワークノードにおいて、前記セルラモバイルネットワークにおいてサポートされる周波数帯域のリストを識別し、
前記ネットワークノードにおいて、前記セルラモバイルネットワークにおいてサポートされる周波数帯域の前記リストを含む第１メッセージを、前記ＵＥへ送信するために符号化し、
前記ネットワークノードにおいて、前記ＵＥ及び前記セルラモバイルネットワークにおいてサポートされる周波数帯域の組合せ及び周波数帯域のセットを含む、前記ＵＥから受信した第２メッセージを復号化する、
よう構成される、装置。
【請求項１０】
前記第２メッセージに含まれる前記周波数帯域の組合せは、キャリアアグリゲーション（ＣＡ）帯域の組合せである、請求項９に記載の装置。
【請求項１１】
前記第２メッセージに含まれる前記周波数帯域の組合せは、非キャリアアグリゲーション（ＣＡ）帯域の組合せである、請求項９に記載の装置。
【請求項１２】
周波数帯域の組合せ及び周波数帯域の前記セットは、前記セルラモバイルネットワークにおいてサポートされる周波数帯域の前記リストに制限される、請求項９に記載の装置。
【請求項１３】
前記セルラモバイルネットワークにおいてサポートされる周波数帯域の前記リストを含む前記第１メッセージは、ＵＥ能力問い合わせメッセージであり、
前記ＵＥ及び前記セルラモバイルネットワークにおいてサポートされる周波数帯域の組合せ及び周波数帯域の前記セットを含む前記第２メッセージは、ＵＥ能力情報メッセージである、
請求項９に記載の装置。
【請求項１４】
前記第１メッセージは、無線リソース制御（ＲＣＣ）シグナリングにより前記ネットワークノードから前記ＵＥへ送信される、請求項９に記載の装置。
【請求項１５】
前記ネットワークノードを含む前記セルラモバイルネットワークは、Ｅ−ＵＴＲＡＮ（evolved  Universal  Terrestrial  Radio  Access  Network）である、請求項９に記載の装置。
【請求項１６】
前記第１メッセージの中の周波数帯域の前記リストは、前記セルラモバイルネットワークにおいてサポートされる最大で１６個の周波数帯域を含む、請求項９に記載の装置。
【請求項１７】
前記第２メッセージは、前記ＵＥが接続モードであるとき、前記ネットワークノードから送信される、請求項９に記載の装置。
【請求項１８】
プロセッサにユーザ機器（ＵＥ）から無線アクセス能力情報を通信する方法を実行させるコンピュータプログラムであって、前記方法は、
前記ＵＥにおいて、Ｅ−ＵＴＲＡＮ（evolved  universal  terrestrial  radio  access  network）の中のネットワークノードから受信した第１メッセージを復号化するステップであって、前記第１メッセージは、前記Ｅ−ＵＴＲＡＮにおいてサポートされる周波数帯域のリストを含む、ステップと、
前記ＵＥにおいて、前記Ｅ−ＵＴＲＡＮにおいてサポートされる周波数帯域の前記リストに基づき、前記ＵＥにおいてサポートされる周波数帯域の組合せ及び周波数帯域のセットを生成するステップと、
前記ＵＥにおいて、前記ＵＥ及び前記Ｅ−ＵＴＲＡＮにおいてサポートされる周波数帯域の組合せ及び周波数帯域の前記セットを含む第２メッセージを、前記ネットワークノードへ送信するために符号化するステップと、
を含む、コンピュータプログラム。
【請求項１９】
前記第２メッセージに含まれる前記周波数帯域の組合せは、キャリアアグリゲーション（ＣＡ）帯域の組合せである、請求項１８に記載のコンピュータプログラム。
【請求項２０】
前記第２メッセージに含まれる前記周波数帯域の組合せは、非キャリアアグリゲーション（ＣＡ）帯域の組合せである、請求項１８に記載のコンピュータプログラム。
【請求項２１】
前記ＵＥにおいてサポートされる前記周波数帯域の組合せ及び周波数帯域の前記セットは、前記Ｅ−ＵＴＲＡＮにおいてサポートされる周波数帯域の前記リストに制限される、請求項１８に記載のコンピュータプログラム。
【請求項２２】
前記Ｅ−ＵＴＲＡＮにおいてサポートされる周波数帯域の前記リストを含む、前記ネットワークノードから受信される前記第１メッセージは、ＵＥ能力問い合わせメッセージであり、
前記ＵＥ及び前記Ｅ−ＵＴＲＡＮにおいてサポートされる周波数帯域の組合せ及び周波数帯域の前記セットを含む、前記ネットワークノードへ送信される前記第２メッセージは、ＵＥ能力情報メッセージである、
請求項１８に記載のコンピュータプログラム。
【請求項２３】
前記第１メッセージは、無線リソース制御（ＲＣＣ）シグナリングにより前記ネットワークノードから受信される、請求項１８に記載のコンピュータプログラム。
【請求項２４】
前記第１メッセージの中の周波数帯域の前記リストは、前記Ｅ−ＵＴＲＡＮにおいてサポートされる最大で１６個の周波数帯域を含む、請求項１８に記載のコンピュータプログラム。
【請求項２５】
前記第１メッセージは、前記ＵＥが接続モードであるとき、前記ネットワークノードから受信される、請求項１８に記載のコンピュータプログラム。
【請求項２６】
請求項１８乃至２５のいずれか一項に記載のコンピュータプログラムを記憶したコンピュータ可読記憶媒体。
【発明の詳細な説明】
【背景技術】
【０００１】
３ＧＰＰ（third  generation  partnership  project）標準に従うモバイルネットワークでは、ネットワークに接続しようとするユーザ機器（ＵＥ）装置は、標準的に、ネットワークにＵＥの無線能力に関する情報を提供するよう構成される。ＵＥは、例えば、ＵＥがキャリアアグリゲーション（ＣＡ）のためにどの周波数帯域及び周波数帯域の組合せをサポートするかを示しても良い。ＵＥは、各々のサポートされる帯域について、半二重又は全二重送信がサポートされるか否かも示しても良い。ＵＥは、異なる帯域／モードの組合せの間のハンドオーバ、及び他の無線アクセス技術（radio  access  technology：ＲＡＴ）へのハンドオーバに関する情報のような、帯域の組合せ又は特定のモードに関連する他の情報も有しても良い。
【０００２】
Ｅ−ＵＴＲＡＮ（evolved  universal  terrestrial  radio  access  network）標準は、展開され得る周波数帯域及び帯域幅に関して非常に柔軟であるよう設計されている。したがって、ＵＥによりサポートされる周波数帯域及び周波数帯域の組合せの数は、非常に多くなり得る。現在、世界的に標準化されているＣＡのために約４０個のシングル周波数帯域及び約１４０個の周波数帯域の組合せが存在する。Ｅ−ＵＴＲＡＮは世界中に無線ネットワークで展開されているので、より多くの帯域及び帯域の組合せが将来標準化される可能性が高い。これは、Ｅ−ＵＴＲＡＮに関連する進化型パケットコアネットワークの中のコアネットワークノードであるモビリティ管理エンティティ（mobility  management  entity：ＭＭＥ）が、現在、ネットワークに接続するＵＥに関する最大で５１０オクテットの無線能力情報だけを格納するよう構成されているので、問題を引き起こす。ＵＥベンダーが世界的ローミングをサポートすることを狙い、ＵＥがＵＥの完全な無線能力情報を提供することを期待される場合、ＵＥが送信するよう構成される無線能力情報の量は、ＭＭＥがＵＥの無線能力情報のために割り当てている５１０オクテットよりも多くの空間を容易に占有し得る。その結果、ＵＥにより提供される無線能力情報の一部はネットワークにより考慮されず、特定の特徴は、ＵＥ及びネットワークの両方によりサポートされる場合でさえ、機能しないことがある。
【図面の簡単な説明】
【０００３】
本開示の特徴及び利点は、例として本開示の特徴を共に図示する添付の図面と関連する以下の詳細な説明から明らかである。
【図１】一例による、ＵＥからの無線能力情報を取り込むために用いられるＵＥ能力転送手順を示す。
【図２】一例による、Ｅ−ＵＴＲＡＮにおけるＵＥによりトリガされるサービス要求手順を示す。
【図３】セルラモバイルネットワークの中のネットワークノードにある回路が実行するよう構成され得る動作シーケンスの一例を示す。
【図４】ＵＥにある回路が実行するよう構成され得る動作シーケンスの一例を示す。
【図５】ＵＥにある回路が実行するよう構成され得る動作シーケンスの一例を示す。
【図６】セルラモバイルネットワークの中のネットワークノードにある回路が実行するよう構成され得る動作シーケンスの一例を示す。
【図７】幾つかの実施形態による無線通信装置の機能ブロック図を示す。  以下では、図示の例示的な実施形態を参照し、本願明細書ではそれらを説明するために固有の言語が用いられる。しかしながら、それにより本発明の範囲の如何なる限定も意図されないことが理解されるだろう。
【発明を実施するための形態】
【０００４】
幾つかの実施形態が開示され説明される前に、請求される主題は本願明細書に開示される特定の構造、処理動作又は材料に限定されず、関連分野の当業者により認識されるように、それらの等価物にまで拡張されることが理解されるべきである。本願明細書で用いられる用語は、特定の例を説明することのみを目的としており、限定を目的としていないことが理解されるべきである。異なる図中の同じ参照符号は、同じ要素を表す。フローチャート及び処理中に提供される数値は、動作を説明する際に明確性のために提供されるものであり、必ずしも特定の順序又は配列を示さない。
【０００５】
以下に、技術的実施形態の最初の概略が提供され、次に特定の技術的実施形態が詳細に説明される。この最初の概要は、読者が技術をより迅速に理解するのを助けることを目的としており、技術の主要な特徴又は基本的特徴を特定することを意図せず、あるいは請求される主題の範囲を限定することを意図しない。
【０００６】
図１は、ＵＥからの無線能力情報を取り込むために用いられる現行のＵＥ能力転送手順１００を示す。動作１０６で、Ｅ−ＵＴＲＡＮ１０４は、ＵＥ能力問い合わせをＵＥ１０２へ送信する。Ｅ−ＵＴＲＡＮ、ＧＥＲＡＮ−ＣＳ（global  system  for  mobile  communications  (GSM)  enhanced  data  rates  for  GSM  evolution  (EDGE)  radio  access  network  (RAN)  for  circuit−switched  (CS)  domain）、ＧＥＲＡＮ−ＰＳ（global  system  for  mobile  communications  (GSM)  enhanced  data  rates  for  GSM  evolution  (EDGE)  radio  access  network  (RAN)  for  packet−switched  (PS)  domain）、ＵＴＲＡ、及びｃｄｍａ２０００−１ｘＲＴＴ（code  division  multiple  access  one  times  radio  transmission  technology）ネットワークタイプのような、種々の無線アクセス技術（ＲＡＴ）に関連する無線能力情報が要求されても良い。動作１０８で、ＵＥは、ＵＥ無線能力情報をＥ−ＵＴＲＡＮ１０４へ送信することにより応答する。現在の３ＧＰＰ標準の下では、ＵＥは、情報が要求されるＲＡＴに関連する自身の無線能力情報の全部を提供することを期待されている。
【０００７】
図２は、Ｅ−ＵＴＲＡＮにおけるＵＥによりトリガされるサービス要求手順を示す。ＵＥ２０２は、ｅＮＢ２０４からのサービスを要求できる。ｅＮＢ２０４は、ＵＥ２０２がｅＮＢ２０４に接続される限り、ｅＮＢ自身のメモリに格納されるＵＥ２０２に関して（例えば、図１に示す手順を通じて）受信された無線能力情報を保持できる。ｅＮＢ２０４は、Ｓ１−ＡＰメッセージ（例えば、ＵＥ能力情報指示：UE  Capability  Info  Indication）の中で、ＭＭＥ２０６へ無線能力情報も送信する。ＭＭＥ２０６は、ＵＥのｅＮＢ２０４との接続が解除された後でも、ＵＥ２０２に関する無線能力情報を格納し続けるよう構成され得る。
【０００８】
ＵＥ２０２がネットワークとの接続を確立するためのサービス要求手順を次に開始するとき、動作４に示すように、ＭＭＥ２０６は、Ｓ１−ＡＰメッセージ（初期コンテキスト設定要求：Initial  Context  Setup  Request）の中で、ＵＥの無線能力情報をｅＮＢ２０４に提供できる。この手順は、ＵＥ２０２がｅＮＢからのサービスを要求する度に、ｅＮＢ２０４がＵＥ２０２から無線能力情報を取り出す必要を取り除く。
【０００９】
ＵＥ無線能力情報を要求し、提供し、及び格納するために使用される現在のアプローチには幾つかの問題がある。先ず、ＵＥがオクテット５１０の後の任意のオクテットで特定の周波数帯域又は機能のサポートを示す無線能力情報を送信する場合、この追加無線能力情報は、ＭＭＥにより格納されない場合がある。結果として、ＵＥがｅＮＢからのサービスを続けて要求するとき（例えば、ＵＥがＥＭＭ（evolved  packet  system（ＥＰＳ）mobility  management）のＥＭＭアイドルモードからＥＭＭ接続モードに変化するとき）、ＭＭＥは、追加無線能力情報をｅＮＢに提供しない。追加無線能力情報が無いと、他の周波数帯域へのハンドオーバのような幾つかの機能は動作しないことがある。
【００１０】
さらに、各々のＵＥについて５１０オクテットの無線能力情報のＭＭＥにおける現在の記憶限界は、Ｅ−ＵＴＲＡＮに関連する無線能力情報にだけではなく、ＵＥによりサポートされる全ての３ＧＰＰ  ＲＡＴに関する全ての無線能力情報の合計に適用される。したがって、Ｅ−ＵＴＲＡＮに関連する無線能力情報が５１０オクテットより少量を必要としたとしても、ＭＭＥは、ＧＥＲＡＮ、ＵＴＲＡＮのような他のＲＡＴ、及びＩＥＥＥ８０２．１１及びＢｌｕｅｔｏｏｔｈ（登録商標）のような未認可ＲＡＴに関連する無線能力情報を格納できない場合がある。したがって、他のＲＡＴへのＲＡＴ間ハンドオーバ又はＲＡＴ間アイドルモードモビリティが動作しない場合がある。
【００１１】
現在の標準により使用されるアプローチに伴う別の問題は、標準的なモバイルネットワークが少数の周波数帯域のみを展開し、少数のキャリアアグリゲーション（ＣＡ）組合せ及び／又はモードのみをサポートする場合でさえ、ＵＥにＵＥの無線能力情報の全てを提供するよう要求することである。さらに、Ｅ−ＵＴＲＡＮのようなモバイルネットワークのＲＡＮは、幾つかの機能をサポートするだけであっても良い。特定の例では、ＵＥが特定の帯域のための専用機能をサポートするか否かの質問は、ＲＡＮにおける帯域が時分割多重（ＴＤＤ）モード又は周波数分割多重（ＦＤＤ）モードを使用するかに依存しても良い。専用機能のサポートは、ハンドオーバ又はリダイレクトが意図されるターゲット帯域のモードにも依存しても良い。
【００１２】
不要な無線能力情報がＭＭＥに格納され、ＵＥにおいて過剰な通信及びバッテリ使用があり、モバイルネットワークに追加の負担があるとき、ＵＥの能力の通信は、ＲＡＮの能力に関係なく、結果として良くても非効率になり得る。最悪の状態でも、ＵＥの能力情報が５１０より大きいとき、ＭＭＥは、不要な無線能力情報を、ＵＥに割り当てられた５１０オクテットに格納でき、格納できない後のオクテットに含まれる有用な情報を格納しない。
【００１３】
１つの一時的救済方法は、次の３ＧＰＰ標準で、ＭＭＥにおけるＵＥ当たりの５１０オクテットの限度を引き上げることであり得る。しかしながら、３ＧＰＰは、新しい周波数帯域及びＣＡ組合せを猛烈な勢いで策定している。結果として、新しい限度は、ＵＥに利用可能な無線能力情報の量よりたちまち小さくなってしまうだろう。さらに、メモリ限度の引き上げは、非効率の問題を解決しないかも知れない。利用可能な無線能力情報の量は、任意の特定のネットワークに実際に有用な無線能力情報の量より速く増大しているので、記憶限度が増大するにつれ、有用な無線能力情報により占有される記憶空間の割合は実際には減少し得る。
【００１４】
代替で、ＭＭＥは、全く際限なく、ＵＥにより転送される全ての無線能力情報を格納するよう構成され得る。しかしながら、これは、非効率の問題を悪化させる可能性がある。さらに、ネットワークベンダー及びオペレータは、追加メモリを使用するコストを吸収することを要求される可能性があるので、何の種類の限度も無しに、標準を受け入れることを好まないだろう。ＭＭＥは、数百万人の加入者にサービスできるので、各々の加入者のＵＥについて、追加の１０００オクテットの情報を格納することは、ＭＭＥに追加の数ギガバイトのメモリを備える必要があるだろう。その結果、ネットワークベンダー及びオペレータは、所有制限を施行する可能性が高く、異なるネットワーク環境で使用されるＵＥの予測可能な性能及び／又は相互運用性を低くしてしまう。
【００１５】
別の非標準化アプローチは、ＵＥが位置する地理的領域にどの帯域が適用可能かを決定するよう、ＵＥを構成することを含む。３ＧＰＰ仕様のリリース１０まで、ＵＥからネットワークへのＵＴＲＡＮに関する無線能力情報の中でシグナリングできる周波数帯域の数は、１６に制限されている。この制限に対処するために、１６個より多くの帯域をサポートするＵＥは、ＵＥが位置する地理的領域（例えば、ヨーロッパ、アジア、北又は南アメリカ、アフリカ、オーストラリア）に基づき、ＵＥのエリアにあるネットワークにより使用される可能性が最も高いのはどの帯域かを決定するよう構成され得る。ＵＥは、次に、これらの帯域にのみ関連する無線能力情報を送信できる。この解決策は、最大で１６個の帯域が一般的にサポートされる地域で有用であり得る。１６個より多くの帯域がサポートされる地域では、ＵＥは、オペレータによりインデックス付けされたプログラムされたリストを有しても良い。これらのリストは、各々のオペレータについて知られている（又は利用可能である可能性のある）帯域を含むことができる。しかしながら、これらのリストは、直ぐに古くなってしまい得る。
【００１６】
したがって、無線能力情報の送信及び記憶に現在影響を与える問題に対する、より良い解決策が必要である。本願で開示される２つの新規な解決策（方法１及び方法２）は、無線能力情報がＵＥから送信される前に、無線能力情報を削減するステップを含む。一方、別の解決策（方法３）は、無線能力情報がネットワークにより受信された後に、無線能力情報を削減するステップを含む。
【００１７】
＜方法１＞
方法１では、モバイルネットワークは、ＵＥが、ＵＥが（例えば、図１に示すような）モバイルネットワークへ送信するＵＥ能力情報メッセージから無関係な無線能力情報を排除することを可能にする追加情報をＵＥに提供できる。モバイルネットワークがＵＥに提供する追加情報は、特定のＲＡＴに専用であっても良く、限定ではないが、モバイルネットワークでサポートされる周波数帯域、ダウンリンク（ＤＬ）及びアップリンク（ＵＬ）について別個にリストされる可能性のあるモバイルネットワークで集約され得る最大キャリア数、モバイルネットワークでサポートされるモード（例えば、時分割多重（ＴＤＤ）及び周波数分割多重（ＦＤＤ））、ＵＥが無線能力情報を提供すべき３ＧＰＰの最大リリースバージョン（例えば、Ｒｅｌ．８、９、１０、１１、１２、１３、等）を含み得る。モバイルネットワークは、専用シグナリングを介して（例えば、図１に示すＵＥ能力問い合わせメッセージの中で）追加情報を提供するよう構成され得る。モバイルネットワークは、システム情報ブロードキャストにより追加情報を提供するようにも構成できる。代替で、モバイルネットワークは、専用シグナリングとシステム情報ブロードキャストとの組合せにより追加情報を提供するようにも構成できる。
【００１８】
方法１は、多くの異なる方法で実施できる。以下の例は、方法１が実施できる１つの説明的方法であり、技術の範囲を限定すること又は技術の基本的側面を特定するものではない。
【００１９】
３ＧＰＰ  ＴＳ３６．３３１、ｓｕｂｃｌａｕｓｅ６．２．２によると、ＵＥ能力問い合わせメッセージは、「ＵＥがＵＥ無線アクセス能力を転送するよう要求されるＲＡＴのリスト、つまり、Ｅ−ＵＴＲＡＮ、ＵＴＲＡ、ＧＥＲＡＮ−ＣＳ、ＧＥＲＡＮ−ＰＳ、ＣＤＭＡ２０００」として定められるue−CapabilityRequestパラメータを含む。
【００２０】
一例では、ｅＮＢは、（例えば、図１に示すような）ＵＥ能力問い合わせメッセージに１又は複数のオプションパラメータを追加するよう構成できる。第１のオプションパラメータは、モバイルネットワークによりサポートされる周波数帯域を示すことができる。ＵＥ能力問い合わせメッセージの中で第１のオプションパラメータを受信するＵＥは、未サポート周波数帯域に関連するＵＥ無線能力情報をネットワークへ送信しないことを選択できる。ｅＮＢ及びその近隣セルによりサポートされる場合だけでなく、周波数帯域がネットワークのどこかでサポートされる場合、周波数帯域は、「ネットワークによりサポートされる」と考えられる。
【００２１】
モバイルネットワークによりサポートされる周波数帯域に関連する情報は、モバイルネットワークがＳＯＮ（self−organizing  network）である場合、管理により又はシグナリングにより、ｅＮＢに利用可能にできる。幾つかの実施形態では、第１のオプションパラメータは、等価ＰＬＭＮ（public  land  mobile  network）によりサポートされる周波数帯域を示すことができる。等価ＰＬＭＮは、ＰＬＭＮ選択、セル選択／再選択、及びハンドオーバの目的で、互いに等価であると考えられる。
【００２２】
幾つかの実施形態では、第１のオプションパラメータは、多数のサポートされる周波数帯域の明示的リストとして符号化できる。代替で、第１のオプションパラメータは、ビットマップとして符号化できる。一例では、ビットマップは２５６ビット長であり得る。各々のビット位置は、特定の周波数帯域に対応し得る。必要な場合、ビットマップは、可変長を有することもできる。したがって、ＵＥは、最後のビットが１に設定されるビットを含まない場合、最後のビットを符号化する必要がない。このような可変長ビットマップは、追加帯域が３ＧＰＰにより定められる場合、将来において拡張できる。代替で、モバイルネットワークは、どのフォーマットがより少ないビットを使用するかに依存して、第１のオプションパラメータのために何れかの符号化フォーマットを使用するよう構成され得る。
【００２３】
第２のオプションパラメータは、（１）キャリアアグリゲーションのためにモバイルネットワークがサポートできる最大ダウンリンク（ＤＬ）キャリア数、（２）キャリアアグリゲーションのためにモバイルネットワークがサポートできる最大アップリンクキャリア数、（３）特にＵＬについて、キャリアアグリゲーション帯域幅クラス（例えば、Ａ、Ｂ、Ｃ）のサポート、を示すために使用される情報を有し得る。第２のパラメータを有する情報により示される情報を有し、ＵＥは、ＭＴＡ（multiple  timing  advance）サポートに関する無線能力情報を送信することを回避できる。一例では、モバイルネットワークは、ＤＬについて１〜８（又はそれ以上）の範囲に渡る値を示しても良い。ここで、この値は、モバイルネットワークが何をサポートするかに関連して、集約できる最大キャリア数を表す。例えば、２の値は、ＵＥが２より多くのキャリアの集約に使用される帯域組合せに関連する無線能力情報を送信する必要がないことを示し得る。
【００２４】
第２のオプションパラメータは、代替で、帯域内及び帯域間組合せについて別個に、ＤＬキャリア及びＵＬキャリアの最大数を示すために使用できる情報を有し得る。ＤＬ及びＵＬキャリアアグリゲーションが同時にサポートされる場合、第２のオプションパラメータは、最大ＤＬキャリア数及び最大ＵＬキャリア数を示すために使用できる情報も含み得る。
【００２５】
第２のオプションパラメータは、送信モードＴＭ９及びＴＭ１０のサポートがあるか否かを示すために使用できる情報も有し得る。この情報を受信するＵＥは、ＴＭ９又はＴＭ１０がサポートされない場合、ＴＭ９又はＴＭ１０のための特定の多入力多出力（ＭＩＭＯ）及び協調マルチポイント（ＣｏＭＰ）設定に関連する無線能力情報を送信することを回避できる。第２のオプションパラメータは、ＵＬ  ＭＩＭＯがサポートされるか否かを示すために使用できる情報も有し得る。この情報を受信するＵＥは、ＵＬ  ＭＩＭＯがサポートされない場合、ＵＬ  ＭＩＭＯに関する無線能力情報を送信することを回避できる。
【００２６】
第３のオプションパラメータは、モバイルネットワーク（又はその等価なＰＬＭＮ）が複数のモード（例えば、多重化モードＦＤＤ又はＴＤＤ）をサポートするか否かを示すために使用される情報を有し得る。この情報を受信するＵＥは、サポートされないモードに関する無線能力情報を送信することを回避できる。
【００２７】
第４のオプションパラメータは、３ＧＰＰリリースバージョンｘを示すために使用される情報を有し得る。この情報を受信するＵＥは、リリースバージョンｘ及び任意の前のリリースバージョンに関する無線能力情報を送信するよう構成され得る。この方法では、ＵＥが３ＧＰＰの後のリリースバージョンに準拠する場合でも、ＵＥは、これらの後のリリースバージョンがネットワークによりサポートされない場合、これらに関連する無線能力情報を送信する必要がない。
【００２８】
上述のパラメータは（例えば、図１に示すような）ＵＥ能力問い合わせメッセージに含まれても良いが、これらのパラメータに含まれ得る情報は、既存のシステム情報ブロードキャスト（system  information  broadcast：ＳＩＢ）メッセージ又は別のメッセージに対する拡張として、ブロードキャストされ得る。さらに、同じ情報は、ＵＴＲＡＮからＥ−ＵＴＲＡＮへのＲＡＴ間ハンドオーバのための準備において、ＵＥが自身のＥ−ＵＴＲＡＮ無線能力を提供する必要がある場合、他の無線インタフェース（例えば、ＵＴＲＡＮ無線インタフェース）により、モバイルネットワークによっても提供され得る。
【００２９】
図３は、モバイルネットワークの中のネットワークノードにある回路（例えば、１又は複数のプロセッサ）が実行するよう構成され得る動作シーケンスの一例を示す。用語「ネットワークノード」は、ネットワークに付属し通信チャネルを介して情報を送信し受信し及び／又は転送できる能動電子装置（例えば、ｅＮＢ（evolved  node  B）、モビリティ管理エンティティ（mobility  management  entity：ＭＭＥ）、又はＰＣＲＦ（policy  charging  and  rules  function）ノード）を表す。３１０におけるように、ネットワークノードにある回路は、セルラモバイルネットワーク（例えば、Ｅ−ＵＴＲＡＮ）の中でサポートされる無線アクセス技術（ＲＡＴ）に関連するＲＡＴ固有無線能力情報を識別するよう構成されても良い。幾つかの実施形態では、ＲＡＴ固有無線能力情報は、セルラモバイルネットワークの中でサポートされる複数のサポート周波数帯域に関連する情報を有しても良い。幾つかの実施形態では、ＲＡＴ固有無線能力情報は、セルラモバイルネットワークの中で集約できるＵＬ又はＤＬの最大キャリア数に関連する情報も有しても良い。追加で、ＲＡＴ固有無線能力情報は、セルラモバイルネットワークの中でサポートされる複数のモード（例えば、時分割多重（ＴＤＤ）モード又は周波数分割多重（ＦＤＤ）モード）に関連する情報を有しても良い。ＲＡＴ固有無線能力情報は、ＵＥが無線能力情報を提供すべき、３ＧＰＰの最大リリースバージョンに関連する情報も有しても良い。
【００３０】
３２０におけるように、ネットワークノードにある回路は、ＲＡＴ固有無線能力情報をＵＥに通信するよう構成されても良い。幾つかの実施形態では、ＲＡＴ固有無線能力情報は、システム情報としてＵＥにブロードキャストされても良い。さらに、回路は、セルラモバイルネットワークの中のｅＮＢ（evolved  node  B）においてＵＥからの無線リソース制御（ＲＲＣ）接続を確立する要求を受信し、セルラモバイルネットワークの中のモビリティ管理エンティティ（mobility  management  entity：ＭＭＥ）からＵＥのためのユーザプレーンベアラを設定する要求を受信し、ＭＭＥから受信した要求がＵＥ無線能力情報を含まない場合、ＲＡＴ固有無線能力情報をＵＥ能力問い合わせメッセージの中でＵＥに通信する、よう構成されても良い。要求は、ＵＥ無線能力情報を有し得る。３３０におけるように、ネットワークノードにある回路は、ＲＡＴ固有無線能力情報に基づき（例えばＵＥにより）選択される情報を有するＵＥ無線能力情報を、ＵＥから受信するよう構成されても良い。
【００３１】
図４は、ＵＥにある回路（例えば、１又は複数のプロセッサ）が実行するよう構成され得る動作シーケンスの説明のための例を示す。４１０におけるように、ＵＥにある回路は、セルラモバイルネットワーク（例えば、Ｅ−ＵＴＲＡＮ）の中でサポートされるＲＡＴに関連するＲＡＴ固有無線能力情報を受信するよう構成され得る。幾つかの実施形態では、ＲＡＴ固有無線能力情報は、セルラモバイルネットワークの中でサポートされる複数のサポート周波数帯域に関連する情報を有しても良い。幾つかの実施形態では、ＲＡＴ固有無線能力情報は、セルラモバイルネットワークの中で集約できるＵＬ又はＤＬの最大キャリア数に関連する情報も有しても良い。追加で、ＲＡＴ固有無線能力情報は、セルラモバイルネットワークの中でサポートされる複数のモード（例えば、時分割多重（ＴＤＤ）モード又は周波数分割多重（ＦＤＤ）モード）に関連する情報を有しても良い。ＲＡＴ固有無線能力情報は、ＵＥが無線能力情報を提供すべき、３ＧＰＰの最大リリースバージョンに関連する情報も有しても良い。ＲＡＴ固有無線能力情報は、ＵＥ能力問い合わせメッセージの中で、又はシステム情報ブロードキャストの中でも受信できる。
【００３２】
４２０におけるように、ＵＥにある回路は、ＲＡＴ固有無線能力情報に従って、ＵＥにある関連するＵＥ能力情報を識別するよう構成され得る。通常、セルラモバイルネットワークによりサポートされる能力に関連するＵＥ能力情報は、関連すると考えられる。４３０におけるように、ＵＥにある回路は、ＵＥからセルラモバイルネットワークへ、関連ＵＥ能力情報を送信するよう構成され得る。
【００３３】
＜方法２＞
方法２では、ＵＥは、無線ネットワークにおけるＵＥの履歴に基づき、無線能力情報を送信する周波数帯域セットを適応して選択できる。例えば、ＵＥは、オペレータによりインデックス付けされたサポートされる周波数帯域及び／又は周波数帯域の組合せのプログラムされたリストを有しても良い。代替で、ＵＥは、空のリスト、又は共通にサポートされる帯域及び／又は帯域の組合せのオペレータと独立したセットを有するリストから開始しても良い。ＵＥがＵＥの無線能力情報を提供する要求を受信すると、無線能力情報が要求側のモバイルネットワーク（又は同じオペレータに関連する他のモバイルネットワーク）へ送信されるとき、ＵＥは、１又は複数の追加帯域及び／又は帯域の組合せをリストに追加して含めることができる。リストにある任意の帯域及び／又は帯域の組合せが長期間の間、ネットワークにより割り当てられない場合、それらの帯域及び／又は帯域の組合せは、オペレータに対応するリストから除去できる。このように、ＵＥは、無関係な無線能力情報をモバイルネットワークへ送信しないことを適応的に学習できる。
【００３４】
図５は、ＵＥにある回路（例えば、１又は複数のプロセッサ）が実行するよう構成され得る動作シーケンスの説明のための例を示す。５１０におけるように、回路は、サポートされる帯域及び／又はサポートされる周波数帯域の組合せのリスト（list  of  supported  frequency  bands  and/or  supported  frequency−band  combinations：ＬＯＳＢ）を格納するよう構成され得る。幾つかの実施形態では、回路は、ＬＯＳＢのセットも格納するように構成され得る。ＬＯＳＢのセットの中の１又は複数のＬＯＳＢは、オペレータ、国、地理的領域、又は大陸のうちの１又は複数に対応し得る。
【００３５】
５２０におけるように、回路は、セルラモバイルネットワークから、無線能力情報を提供する要求を受信するよう構成され得る。５３０におけるように、回路は、ＵＥによりサポートされる第１の周波数帯域をＬＯＳＢに追加するよう構成され得る。５４０におけるように、回路は、セルラモバイルネットワークへ、無線能力情報を送信するよう更に構成され得る。無線能力情報は、ＬＯＳＢに基づいても良い（例えば、ＬＯＳＢに含まれる能力に関連する情報を有する）。５５０におけるように、回路は、第１の周波数帯域が、指定時間期間の間に、セルラモバイルネットワークの中のｅＮＢにより割り当てられるか否かを監視するよう更に構成され得る。５６０におけるように、第１の周波数帯域が指定時間期間の間に割り当てられない場合、回路は、ＬＯＳＢから第１の周波数帯域を除去するよう更に構成され得る。幾つかの実施形態では、ＬＯＳＢは、任意の周波数帯域がＬＯＳＢに追加され又はそれから削除される前に、周波数帯域及び周波数帯域の組合せのオペレータと独立したセットを有し得る。
【００３６】
＜方法３＞
方法３では、ネットワークノード（例えば、ｅＮＢ又はＭＭＥ）は、ＵＥに関連する無線能力情報を受信し、ネットワークの中で（例えば、ネットワークの中の任意のノードにより）サポートされる能力に関連するＵＥ無線能力情報の部分のみを格納できる。言い換えると、ネットワークノードは、関連情報だけが残されるまで、ＵＥ無線能力情報をフィルタリングし又は削る。ネットワークノードがサービングｅＮＢであり、ハンドオーバの間にＵＥ無線能力情報をターゲットｅＮＢへ転送している場合、ターゲットｅＮＢは、サービングｅＮＢより多くの帯域及び／又は帯域の組合せをサポートしても良い。その結果、幾つかの実施形態では、ｅＮＢは、近隣ノードによりサポートされる能力に関連するＵＥ無線能力情報の部分を格納するよう構成され得る。
【００３７】
１つの非限定的な例では、方法３を適用するネットワークノードは、２つの枝刈りモードのうちの１つで動作するよう構成されても良い。枝刈りモード１及び枝刈りモード２の両方で、ネットワークノードは、ネットワークノードが復号化できるが、モバイルネットワークによりサポートされない能力に関連するＵＥ無線能力情報を除去するよう構成され得る。枝刈りモード１では、ネットワークノードは、（例えば、ネットワークノードによりサポートされない新しいプロトコルバージョンで追加されたために）ネットワークノードが復号化できないＵＥ無線能力情報を除去するよう更に構成され得る。これに対し、枝刈りモード２では、ネットワークノードは、ネットワークノードが復号化できないＵＥ無線能力情報を除去しないよう更に構成され得る。モード２は、モバイルネットワークの中の異なるノードが異なる能力を有する状況で（例えば、モバイルネットワークが更新されており、異なるノードが異なるプロトコルバージョンをサポートしているとき）使用できる。
【００３８】
図６は、セルラモバイルネットワークの中のネットワークノードにある回路（例えば、１又は複数のプロセッサ）が実行するよう構成され得る動作シーケンスの一例を示す。６１０におけるように、回路は、ＵＥに関連するＵＥ能力情報を得るよう構成され得る。幾つかの実施形態では、ネットワークノードは、ｅＮＢ又はＭＭＥであっても良い。ネットワークノードがｅＮＢである実施形態では、例えば、ＵＥ能力情報は、ＵＥからの送信により、又はＵＥ能力情報が格納されているＭＭＥへの接続により、受信されても良い。６２０におけるように、回路は、ネットワークノードが復号化できるがネットワークノードが位置するセルラモバイルネットワークによりサポートされない能力に関連する、ＵＥ能力情報の中の情報セグメントを識別するよう構成され得る。６３０におけるように、回路は、ＵＥ能力情報から、ネットワークノードが復号化できるセルラモバイルネットワークによりサポートされない無線能力に関連する情報セグメントを除去するよう構成され得る。６４０におけるように、回路は、セルラモバイルネットワークの中にあるモビリティ管理エンティティ（mobility  management  entity：ＭＭＥ）にＵＥ能力情報を格納するよう構成され得る。幾つかの実施形態では、回路は、ネットワークノードが復号化できない、ＵＥ能力情報の中の情報セグメントを識別し除去するよう構成され得る。
【００３９】
図７は、ユーザ機器（ＵＥ）、移動局（ＭＳ）、モバイル無線装置、モバイル通信装置、タブレット、ハンドセット、又は他の種類の無線装置のような無線装置の例示的説明を提供する。無線装置は、ノード、マクロノード、低電力ノード（low  power  node：ＬＰＮ）、又は基地局（ＢＳ）、ｅＮＢ（evolved  Node  B）、ベースバンドユニット（baseband  unit：ＢＢＵ）、ＲＲＨ（remote  radio  head）、ＲＲＥ（remote  radio  equipment）、中継局（ＲＳ）、無線機器（radio  equipment：ＲＥ）若しくは他の種類の無線広域ネットワーク（wireless  wide  area  network：ＷＷＡＮ）アクセスポイントのような送信局と通信するよう構成される１又は複数のアンテナを有し得る。無線装置は、３ＧＰＰ  ＬＴＥ、ＷｉＭＡＸ、ＨＳＰＡ（High  Speed  Packet  Access）、Ｂｌｕｅｔｏｏｔｈ及びＷｉＦｉを含む少なくとも１つの無線通信規格を用いて通信するよう構成され得る。無線装置は、無線通信規格毎に別個のアンテナを又は複数の無線通信規格のための共有アンテナを用いて通信できる。無線装置は、ＷＬＡＮ（wireless  local  area  network）、ＷＰＡＮ（wireless  personal  area  network）、及び／又はＷＷＡＮ内で通信できる。
【００４０】
図７は、無線装置からの音声入力及び出力のために用いられ得るマイクロフォン及び１又は複数のスピーカの説明も提供する。ディスプレイスクリーンは、ＬＣＤ（liquid  crystal  display）スクリーン、又はＯＬＥＤ（organic  light  emitting  diode）ディスプレイのような他の種類のディスプレイスクリーンであっても良い。ディスプレイスクリーンは、タッチスクリーンのように構成され得る。タッチスクリーンは、容量性、抵抗性、又は別の種類のタッチスクリーン技術を用いても良い。アプリケーションプロセッサ及びグラフィックプロセッサは、処理及び表示能力を提供するために内部メモリに結合され得る。不揮発性メモリポートも、ユーザに入力／出力オプションを提供するために用いられ得る。不揮発性メモリポートは、無線装置のメモリ容量を拡張するために用いられても良い。キーボードは、追加ユーザ入力を提供するために、無線装置に統合され又は無線装置に無線接続されても良い。仮想キーボードは、タッチスクリーンを用いて提供されても良い。
【００４１】
種々の技術又はその特定の態様若しくは部分は、フロッピーディスク、ＣＤ−ＲＯＭ、ハードドライブ、非一時的コンピュータ可読記憶媒体、又は任意の他の機械可読記憶媒体のような有形媒体に具現化されるプログラムコード（つまり、命令）の形式をとっても良く、プログラムコードがコンピュータのような機械に読み込まれ実行されると、該機械は、種々の技術を実施するための装置になる。回路は、ハードウェア、プログラムコード、実行可能コード、コンピュータ命令、及び／又はソフトウェアを有し得る。非一時的コンピュータ可読記憶媒体は、信号を含まないコンピュータ可読記憶媒体であり得る。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含んでも良い。揮発性及び不揮発性メモリ及び／又は記憶素子は、ＲＡＭ、ＥＰＲＯＭ、フラッシュドライブ、光ドライブ、磁気ハードドライブ、固体ドライブ、又は電子データを格納する他の媒体であっても良い。ノード及び無線装置は、通信機モジュール、カウンタモジュール、処理モジュール、及び／又はクロックモジュール若しくはタイマモジュールを有しても良い。ここに記載した種々の技術を実施し又は利用し得る１又は複数のプログラムは、ＡＰＩ（application  programming  interface）、再利用可能制御、等を用いても良い。このようなプログラムは、コンピュータシステムと通信するために、高度な手続き又はオブジェクト指向プログラミング言語で実装されても良い。しかしながら、プログラムは、望ましい場合には、アセンブラ又は機械語で実装されても良い。いずれの場合にも、言語は、コンパイルされた又はインタープリットされた言語であっても良く、ハードウェア実装と結合されても良い。
【００４２】
理解されるべきことに、本願明細書に記載の機能ユニットの多くは、それらの実装独立性を特に強調するために、モジュールとしてラベル付けされた。例えば、モジュールは、カスタムＶＬＳＩ回路又はゲートアレイ、ロジックチップ、トランジスタ若しくは他の個別部品のようなオフザシェルフ（off−the−shelf）半導体を有するハードウェア回路として実装されても良い。モジュールは、フィールドプログラマブルゲートアレイ、プログラマブルアレイロジック、プログラマブルロジックデバイス、等のようなプログラマブルハードウェア素子内に実装されても良い。
【００４３】
モジュールは、種々の種類のプロセッサにより実行されるソフトウェアで実装されても良い。例えば、実行可能コードの識別されるモジュールは、例えばオブジェクト、プロシジャ又は関数として編成され得るコンピュータ命令の１又は複数の物理又は論理ブロックを有しても良い。しかしながら、識別されるモジュールの実行ファイルは、物理的に一緒に配置される必要はなく、論理的に一緒にされるとモジュールを有しモジュールの提示される目的を達成する異なる場所に格納される別個の命令を有しても良い。
【００４４】
実際に、実行可能コードのモジュールは、単一命令又は多くの命令であっても良く、幾つかの異なるコードセグメントに渡り、異なるプログラムの間で、及び幾つかのメモリ装置に渡り分散されても良い。同様に、運用データは、ここにモジュール内で識別され示され、任意の適切な形式で実装され、任意の適切な種類のデータ構造で編成されても良い。運用データは、単一データセットとして集められても良く、異なる記憶装置に渡ることを含む異なる場所に渡り分散されても良く、少なくとも部分的にシステム又はネットワーク上の電子信号として単に存在しても良い。モジュールは、所望の機能を実行するよう動作するエージェントを含み、受動的又は能動的であっても良い。
【００４５】
本願明細書を通じて「一例」という言及は、その例と関連して記載された特定の特徴、構造、機能又は特性が少なくとも１つの実施形態に含まれることを意味する。したがって、本願明細書を通じて種々の場所にある「一例では」という表現は、必ずしも全て同じ実施形態を参照していない。
【００４６】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、種々の実施形態及び例は、その種々の成分の代替物とともにここで言及されても良い。理解されるべきことに、このような実施形態、例、及び代替は、事実上互いの等価物として考えられるべきではないが、別個の及び自主的として考えられるべきである。
【００４７】
更に、記載の特徴、構造又は特性は、１又は複数の実施形態において、任意の適切な方法で結合されても良い。以下の記載では、幾つかの実施形態の完全な理解を提供するために、レイアウトの例、距離、ネットワーク例、等のような多くの特定の詳細事項が提供される。しかしながら、当業者は、請求される主題が特定の詳細事項のうちの１又は複数がなくても又は他の方法、コンポーネント、レイアウト、等で実施できることを理解するだろう。他の例では、良く知られた構造、材料又は動作は、請求される主題の態様を不明瞭にしないために詳細に示されず又は記載されない。
【００４８】
前述の例は１又は複数の特定の用途における請求される主題の原理の説明であるが、当業者には、発明力を行使しないで及び請求される主題の原理及び概念から逸脱することなく、実装の形式、使用方法及び詳細事項において多くの変更を行うことができることが明らかである。したがって、以下に記載の請求の範囲を除いて、請求される主題は限定されるものではない。
【００４９】
（例１）  ユーザ機器（ＵＥ）にデータを通信するよう動作する、セルラモバイルネットワークの中のネットワークノードであって、前記セルラモバイルネットワークの中のネットワークノードは、１又は複数のプロセッサを有し、前記１又は複数のプロセッサは、
前記セルラモバイルネットワークの中でサポートされる無線アクセス技術（ＲＡＴ）に関連するＲＡＴ固有無線能力情報を識別し、
前記ＲＡＴ固有無線能力情報をＵＥに通信し、
前記ＵＥからＵＥ無線能力情報を受信し、前記ＵＥ無線能力情報は前記ＲＡＴ固有無線能力情報に基づき提供されるべき選択される情報を有する、
よう構成される、ネットワークノード。
（例２）  ＲＡＴ固有無線能力情報は、前記セルラモバイルネットワークの中でサポートされる複数の周波数帯域に関連する情報を有する、例１に記載のネットワークノード。
（例３）  前記ＲＡＴ固有無線能力情報は、前記セルラモバイルネットワークの中で集約できるアップリンク又はダウンリンクのうちの少なくとも１つの最大キャリア数に関連する情報を有する、例１に記載のネットワークノード。
（例４）  前記ＲＡＴ固有無線能力情報は、前記セルラモバイルネットワークの中でサポートされる複数のモードに関連する情報を有する、例１に記載のネットワークノード。
（例５）  前記セルラモバイルネットワークの中でサポートされる前記複数のモードは、時分割多重（ＴＤＤ）モード又は周波数分割多重（ＦＤＤ）モードのうちの１又は複数を有する、例４に記載のネットワークノード。
（例６）  前記ＲＡＴ固有無線能力情報は、ＵＥが無線能力情報を提供すべき、３ＧＰＰの最大リリースバージョンに関連する情報を有する、例１に記載のネットワークノード。
（例７）  前記１又は複数のプロセッサは、前記ＵＥへの専用シグナリングメッセージ又はシステム情報ブロードキャストのうちの１又は複数の中で、前記ＲＡＴ固有無線能力情報を通信するよう更に構成される、例１に記載のネットワークノード。
（例８）  前記１又は複数のプロセッサは、
前記セルラモバイルネットワークの中のｅＮＢ（evolved  node  B）において前記ＵＥから、無線リソース制御（ＲＲＣ）接続を確立する要求を受信し、
前記セルラモバイルネットワークの中の前記ｅＮＢにおいてモビリティ管理エンティティ（ＭＭＥ）から、前記ＵＥのためのユーザプレーンベアラを設定する要求を受信し、
前記ＭＭＥから受信した前記要求がＵＥ無線能力情報を含まない場合、前記ＲＡＴ固有無線能力情報をＵＥ能力問い合わせメッセージの中で前記ＵＥに通信する、
よう更に構成される、例１に記載のネットワークノード。
（例９）  前記ＲＡＴ固有無線能力情報は、Ｅ−ＵＴＲＡＮ（evolved  Universal  Terrestrial  Radio  Access  Network）に関連する情報を有する、例１に記載のネットワークノード。
（例１０）  セルラモバイルネットワークにデータを通信するよう動作するユーザ機器（ＵＥ）であって、前記ＵＥは、１又は複数のプロセッサを有し、前記１又は複数のプロセッサは、
前記セルラモバイルネットワークの中でサポートされるＲＡＴに関連するＲＡＴ固有無線能力情報を受信し、
前記ＲＡＴ固有無線能力情報に従い、ＵＥにある関連するＵＥ能力情報を識別し、
前記関連するＵＥ能力情報を前記ＵＥから前記セルラモバイルネットワークへ送信する、
よう構成される、ＵＥ。
（例１１）  前記ＲＡＴ固有無線能力情報は、前記セルラモバイルネットワークの中でサポートされる複数の周波数帯域に関連する情報を有する、例１０に記載のＵＥ。
（例１２）  前記ＵＥ能力情報は、前記ＲＡＴ固有無線能力情報に含まれる前記複数の周波数帯域に基づき、関連すると識別される、例１１に記載のＵＥ。
（例１３）  キャリアアグリゲーション帯域組合せに関連する前記ＵＥ能力情報は、前記ＲＡＴ固有無線能力情報に含まれる前記複数の周波数帯域に従い、関連すると識別される、例１１に記載のＵＥ。
（例１４）  前記ＲＡＴ固有無線能力情報は、前記セルラモバイルネットワークにより集約できるアップリンク又はダウンリンクのうちの少なくとも１つの最大キャリア数に関連する情報を有する、例１０に記載のＵＥ。
（例１５）  前記ＲＡＴ固有無線能力情報は、前記セルラモバイルネットワークの中でサポートされる複数のモードに関連する情報を有する、例１０に記載のＵＥ。
（例１６）  前記セルラモバイルネットワークの中でサポートされる前記複数のモードは、時分割多重（ＴＤＤ）モード又は周波数分割多重（ＦＤＤ）モードのうちの１又は複数を有する、例１５に記載のＵＥ。
（例１７）  前記ＲＡＴ固有無線能力情報は、ＵＥが無線能力情報を提供すべき、３ＧＰＰの最大リリースバージョンに関連する情報を有し、前記無線能力情報は前記ＵＥ能力情報に含まれている、例１０に記載のＵＥ。
（例１８）  前記１又は複数のプロセッサは、ＵＥ能力問い合わせメッセージ又はシステム情報ブロードキャストのうちの少なくとも１つの中で、前記ＲＡＴ固有無線能力情報を受信するよう更に構成される、例１０に記載のＵＥ。
（例１９）  セルラモバイルネットワークにデータを通信するよう動作するユーザ機器（ＵＥ）であって、前記ＵＥは回路を有し、前記回路は、
サポートされる周波数帯域又はサポートされる周波数帯域の組合せのうちの少なくとも１つのリスト（ＬＯＳＢ）を格納し、
前記セルラモバイルネットワークに無線能力情報を提供する要求を受信し、
前記ＵＥによりサポートされる第１の周波数帯域を前記ＬＯＳＢに追加し、
前記セルラモバイルネットワークへ前記無線能力情報を送信し、前記無線能力情報は前記ＬＯＳＢに基づき、
前記第１の周波数帯域が、指定時間期間の間に、前記セルラモバイルネットワークの中のｅＮＢにより割り当てられるか否かを監視し、
前記第１の周波数帯域が、前記指定時間期間の間に、割り当てられない場合、前記ＬＯＳＢから前記第１の周波数帯域を除去する、
よう構成される、ＵＥ。
（例２０）  前記回路は、ＬＯＳＢのセットを格納するよう更に構成され、前記ＬＯＳＢのセットの中の少なくとも１つのＬＯＳＢは、オペレータ、国、地理的領域、又は大陸のうちの１又は複数に対応し、前記無線能力情報を送信するために前記ＵＥにより使用されるＬＯＳＢは、無線アクセス技術、１日の中の時間、現在使用中の周波数帯域、又はＵＥのバッテリの電力状態、のうちの少なくとも１つに依存する、例１９に記載のＵＥ。
（例２１）  前記ＬＯＳＢは、任意の周波数帯域が前記ＬＯＳＢに追加され又はそれから削除される前に、周波数帯域及び周波数帯域の組合せのオペレータと独立したセットを最初に有する、例１９に記載のＵＥ。
（例２２）  ユーザ機器（ＵＥ）にデータを通信するよう動作するセルラモバイルネットワークの中のネットワークノードであって、前記ネットワークノードは回路を有し、前記回路は、
前記ＵＥに関連するＵＥ能力情報を得て、
前記ネットワークノードが復号化でき、前記ネットワークノードが位置する前記セルラモバイルネットワークによりサポートされない能力に関連する、ＵＥ能力情報の中の情報セグメントを識別し、
前記ＵＥ能力情報から、前記ネットワークノードが復号化でき、前記セルラモバイルネットワークによりサポートされない無線能力に関連する、情報セグメントを除去し、
前記セルラモバイルネットワークの中に位置するモビリティ管理エンティティ（ＭＭＥ）に、前記ＵＥ能力情報を格納する、
よう構成される、ネットワークノード。
（例２３）  前記ネットワークノードは、ｅＮＢ又はＭＭＥである、例２２に記載のネットワークノード。
（例２４）  前記ネットワークノードが復号化できない、前記ＵＥ能力情報の中の情報セグメントを識別し、
前記ＵＥ能力情報を前記セルラモバイルネットワークの中に位置するモビリティ管理エンティティ（ＭＭＥ）に格納する前に、前記ＵＥ能力情報から、前記ネットワークノードが復号化できない情報セグメントを除去する、
よう更に構成される回路を有する、例２２に記載のネットワークノード。
【符号の説明】
【００５０】
１００  ＵＥ能力転送手順
１０２  ＵＥ
１０４  Ｅ−ＵＴＲＡＮ
１０６  ＵＥ能力問い合わせ
１０８  ＵＥ能力情報
【図１】
0006382418.tif 000002
【図２】
0006382418.tif 000003
【図３】
0006382418.tif 000004
【図４】
0006382418.tif 000005
【図５】
0006382418.tif 000006
【図６】
0006382418.tif 000007
【図７】
0006382418.tif 000008